(57)【要約】【課題】構造がより簡易で、使用者にとって操作がより容易な交換レンズと、このような交換レンズを装着可能なカメラボディを提供する。【解決手段】交換レンズ（１０１）は、カメラボディ（１０２）に装着可能な交換レンズ（１０１）であって、第１の操作対象部材（１１０）と、第２の操作対象部材（１１２）と、第１の操作対象部材（１１０）または第２の操作対象部材（１１２）に対する使用者の操作を受け付ける操作部材（１１５）と、操作部材（１１５）に対して割り当てる操作対象部材を選択するための選択情報をカメラボディ（１０２）から取得する取得部（１２０）と、選択情報に基づき、操作部材（１１５）を、第１の操作対象部材（１１０）および第２の操作対象部材（１１２）のいずれか一方に対する操作部材として機能させる制御部（１２０）とを備える。【選択図】図３
2012212135.tif 000002
【特許請求の範囲】
【請求項１】
カメラボディに装着可能な交換レンズであって、
第１の操作対象部材と、
第２の操作対象部材と、
前記第１の操作対象部材または前記第２の操作対象部材に対する使用者の操作を受け付ける操作部材と、
前記操作部材に対して割り当てる操作対象部材を選択するための選択情報を前記カメラボディから取得する取得部と、
前記選択情報に基づき、前記操作部材を、前記第１の操作対象部材および前記第２の操作対象部材のいずれか一方に対する操作部材として機能させる制御部とを備える
交換レンズ。
【請求項２】
さらに、前記第１の操作対象部材および前記第２の操作対象部材に関する情報をカメラボディに通知する通知部を備えることを特徴とする、
請求項１記載の交換レンズ。
【請求項３】
前記第１の操作対象部材はフォーカスレンズであり、
前記第２の操作対象部材はズームレンズであることを特徴とする、
請求項１記載の交換レンズ。
【請求項４】
前記選択情報は、マニュアルフォーカス動作またはオートフォーカス動作に関する情報であることを特徴とする、
請求項３記載の交換レンズ。
【請求項５】
前記制御部は、前記選択情報が前記オートフォーカス動作に関する情報であったとき、前記第２の操作対象部材に対する操作部材としての機能を前記操作部材に割り当てることを特徴とする、
請求項４に記載の交換レンズ。
【請求項６】
前記制御部は、前記オートフォーカス動作が終了した後に、所定の条件が満たされると、前記第１の操作対象部材に対する操作部材としての機能を、前記操作部材に割り当てることを特徴とする、
請求項５に記載の交換レンズ。
【請求項７】
前記選択情報は、前記第１の操作対象部材および前記第２の操作対象部材のいずれか一方を指定する情報であることを特徴とする、
請求項１に記載の交換レンズ。
【請求項８】
交換レンズを装着可能なカメラボディであって、
前記交換レンズは、
第１の操作対象部材と、
第２の操作対象部材と、
前記第１の操作対象部材または前記第２の操作対象部材に対する使用者の操作を受け付ける操作部材と、
前記操作部材に対して割り当てる操作対象部材を選択するための選択情報を前記カメラボディから取得する取得部と、
前記選択情報に基づき、前記操作部材を、前記第１の操作対象部材および前記第２の操作対象部材のいずれか一方に対する操作部材として機能させる制御部とを備え、
前記カメラボディは、前記選択情報を前記取得部に送信する送信部を備える
カメラボディ。
【発明の詳細な説明】
【技術分野】
【０００１】
本発明は、交換レンズおよびカメラボディに関し、特に、交換レンズ内の操作対象を駆動制御する交換レンズおよびカメラボディに関する。
【背景技術】
【０００２】
従来、交換レンズユニットは、フォーカスレンズやズームレンズ等の光学系を機械的に駆動する機構が採用されていた。これに対して近年、光学系を機械的に駆動するのではなく、モータなどの電動アクチュエータにより電気的に駆動する交換レンズユニットが提案されている（例えば、特許文献１参照）。
【先行技術文献】
【特許文献】
【０００３】
【特許文献１】国際公開公報  ＷＯ２００９／０４１０６３Ａ１
【発明の概要】
【発明が解決しようとする課題】
【０００４】
フォーカスレンズやズームレンズ等の光学系の各個をモータなどの電動アクチュエータにより駆動する交換レンズユニットによれば、従来にないレンズ駆動制御が可能になると期待される。
【０００５】
ところで、マニュアルズームおよびマニュアルフォーカスが可能な交換レンズユニットは、使用者がズーム操作またはフォーカス操作をそれぞれ行うための操作部材を２つ備える。従来の交換レンズユニットは、この２つの操作部材を備えているために、コストが増大し、また構成を小型化しにくいという問題があった。
【０００６】
本発明は、これらの課題を鑑みてなされたものであり、構造をより小型にでき、使用者にとって操作がより容易な交換レンズと、このような交換レンズを装着可能なカメラボディを提供することを目的とする。
【課題を解決するための手段】
【０００７】
上記課題を解決するために本発明にかかる交換レンズは、カメラボディに装着可能な交換レンズである。交換レンズは第１の操作対象部材と、第２の操作対象部材と、第１の操作対象部材または第２の操作対象部材に対する使用者の操作を受け付ける操作部材と、操作部材に対して割り当てる操作対象部材を選択するための選択情報をカメラボディから取得する取得部と、選択情報に基づき、操作部材を、第１の操作対象部材および第２の操作対象部材のいずれか一方に対する操作部材として機能させる制御部とを備える。
【０００８】
また、本発明にかかるカメラボディは交換レンズを装着できるカメラボディである。交換レンズは、第１の操作対象部材と、第２の操作対象部材と、第１の操作対象部材または第２の操作対象部材に対する使用者の操作を受け付ける操作部材と、操作部材に対して割り当てる操作対象部材を選択するための選択情報をカメラボディから取得する取得部と、選択情報に基づき、操作部材を、第１の操作対象部材および第２の操作対象部材のいずれか一方に対する操作部材として機能させる制御部とを備える。カメラボディは、選択情報を交換レンズの取得部に送信する送信部を備える。
【発明の効果】
【０００９】
本発明によれば、２つの操作対象部材のうち少なくともいずれかの操作を行うために使用される１つの操作部材を備える交換レンズがカメラボディに装着された場合に、交換レンズの制御部は、カメラボディの送信部によって送信された選択情報に基づいて、第１の操作対象部材および第２の操作対象部材のいずれか一方に対する操作機能を、操作部材に割り当てる。このような機能により、１つの操作部材に割り当てる操作機能を適宜変更することにより、１つの操作部材によって２つの操作対象部材を操作できる。これにより、２つの操作対象部材を操作するために交換レンズの操作部材は１つで事足りるので、交換レンズの構造を簡易化できる。また、交換レンズに操作部材が１つだけ含まれるという構成により、誤操作の可能性を低減できるので、交換レンズの操作がより容易になる。
【図面の簡単な説明】
【００１０】
【図１】デジタルカメラの外観図
【図２】デジタルカメラの背面図
【図３】デジタルカメラの電気的構成図
【図４】カメラボディの対応機能による分類を説明するための図
【図５】デジタルカメラの初期動作フローチャート
【図６】ＭＺ及びＭＦ対応カメラボディにおけるＭＦモードでの第一の動作フローチャート
【図７】ＭＺ及びＭＦ対応カメラボディにおけるＭＦモードでの第二の動作フローチャート
【図８】ＭＺ及びＭＦ対応カメラボディにおけるＡＦモードでの動作フローチャート
【図９】ＭＺ及びＭＦ対応カメラボディにおけるＡＦ＋ＭＦモードでの動作フローチャート
【図１０】ＭＺ及びＭＦ非対応カメラボディにおけるＭＦモードでの動作フローチャート
【発明を実施するための形態】
【００１１】
以下、本発明の実施形態について、添付の図面を参照しながら説明する。
【００１２】
＜１．構成＞
＜１−１．全体構成＞
実施形態１のデジタルカメラ１００の構成について説明する。
【００１３】
図１に示すように、デジタルカメラ１００は、電動交換レンズ１０１と、電動交換レンズ１０１が装着可能なカメラボディ１０２とによって構成される。電動交換レンズ１０１は、操作リング１１５を備える。操作リング１１５は、カメラボディ１０２が設定したフォーカスモードに基づいて、ズームレンズの操作機能、またはフォーカスレンズの操作機能が割り当てられる。フォーカスモードには、使用者がフォーカスを設定するマニュアルフォーカスモード（以下、「ＭＦモード」と呼ぶ）と、カメラボディ１０２がフォーカスを自動で設定するオートフォーカスモード（以下、「ＡＦモード」と呼ぶ）等がある。また、カメラボディ１０２はレリーズ釦１６０を備える。カメラボディ１０２は、使用者によるレリーズ釦１６０の操作を受け付けると、装着された電動交換レンズ１０１に対して、オートフォーカス動作するよう制御信号を通知したり、電動交換レンズ１０１を通じて形成される被写体像の撮影動作を実行したりすることが可能である。
【００１４】
図２に示すように、カメラボディ１０２は、背面部に液晶モニタ１６３、タッチパネル１６２、ならびに中央釦２０４および十字釦２０５を含むカメラ側操作部１７０等を備える。カメラボディ１０２は、使用者によるタッチパネル１６２とカメラ側操作部１７０などの操作を受け付けて、操作内容に従った各種制御を行うことが可能である。
【００１５】
図３はデジタルカメラの電気的構成図である。以下、図３を参照しながらカメラボディ１０２および電動交換レンズ１０１の構成について説明する。
【００１６】
＜１−２．電動交換レンズの構成＞
電動交換レンズ１０１の構成について説明する。
電動交換レンズ１０１は、レンズコントローラ１２０と、レンズマウント１３０と、フォーカスレンズ１１０およびズームレンズ１１２を含む光学系と、フォーカスレンズ駆動部１１１と、ズームレンズ駆動部１１３と、絞り１１６と、絞り駆動部１１７と、操作リング１１５と、ＤＲＡＭ１２１と、フラッシュメモリ１２２とを備える。
【００１７】
レンズコントローラ１２０は、電動交換レンズ１０１の各部を制御する。レンズコントローラ１２０は、使用者による操作リング１１５の操作を受け付けて、フォーカスレンズ１１０、ズームレンズ１１２、絞り１１６の操作対象部材を駆動させるよう、各操作対象部材の駆動部（フォーカスレンズ駆動部１１１、ズームレンズ駆動部１１３、絞り駆動部１１７）を制御することが可能である。レンズコントローラ１２０には、ＤＲＡＭ１２１およびフラッシュメモリ１２２が接続されている。レンズコントローラ１２０は必要に応じてＤＲＡＭ１２１およびフラッシュメモリ１２２に対して情報を書き込んだり読み出したりすることが可能である。また、レンズコントローラ１２０は、レンズマウント１３０およびボディマウント１４０を通じて、カメラコントローラ１５３と通信することが可能である。なお、レンズコントローラ１２０は、ハードワイヤードな電子回路で構成してもよく、プログラムを用いたマイクロコンピュータなどで構成してもよい。
【００１８】
レンズマウント１３０は、カメラボディ１０２が有するボディマウント１４０と連携して、電動交換レンズ１０１とカメラボディ１０２とが機械的および電気的に接続するための接続部材である。電動交換レンズ１０１とカメラボディ１０２とが機械的および電気的に接続されると、レンズコントローラ１２０とカメラコントローラ１５３とは互いに通信可能な状態となる。
【００１９】
ＤＲＡＭ１２１は、レンズコントローラ１２０による各種制御の際のワークメモリとして使用される。フラッシュメモリ１２２は、レンズコントローラ１２０による各種制御の際に使用されるプログラムやパラメータ、レンズデータ等を格納している。
【００２０】
フォーカスレンズ１１０は、電動交換レンズ１０１の光学系に入射されてＣＭＯＳイメージセンサ１５０上に形成される被写体像のフォーカス状態を、変化させるためのレンズである。フォーカスレンズ１１０のレンズ構成は何枚でも何群でもよい。フォーカスレンズ駆動部１１１は、レンズコントローラ１２０から通知される制御信号に従って、フォーカスレンズ１１０を光学系の光軸に沿って進退させるように駆動する。フォーカスレンズ駆動部１１１は、例えばステッピングモータまたはＤＣモータ、超音波モータなどにより実現できる。
【００２１】
ズームレンズ１１２は、電動交換レンズ１０１の光学系によって形成される被写体像の倍率を変化させるためのレンズである。ズームレンズ１１２のレンズ構成は何枚でも何群でもよい。ズームレンズ駆動部１１３は、レンズコントローラ１２０から通知される制御信号に従って、ズームレンズ１１２を光学系の光軸に沿って進退させるように駆動する。ズームレンズ駆動部１１３は、例えばステッピングモータまたはＤＣモータ、超音波モータなどにより実現できる。
【００２２】
絞り１１６は、開閉可能な複数の機械羽根によって構成される。絞り１１６は、電動交換レンズ１０１の光学系に入射する光の光量を調節するための調節部材である。絞り駆動部１１７は、レンズコントローラ１２０から通知される制御信号に従って、絞り１１６の機械羽根の開閉状態を変化させる。絞り駆動部１１７は、例えば、ステッピングモータまたはＤＣモータ、超音波モータなどにより実現できる。
【００２３】
操作リング１１５は、電動交換レンズ１０１の外面に設置された操作部材である。操作リング１１５は、電動交換レンズ１０１に対して相対的に回動するように構成される。操作リング１１５の回動位置や、回動速度は検出部（図示せず）によって検出されて、レンズコントローラ１２０に通知される。レンズコントローラ１２０は、通知された操作リング１１５の回動位置や回動速度に基づいて、操作対象部材の駆動部に対して駆動制御信号を供給することが可能である。電動交換レンズ１０１内には、フォーカスレンズ１１０とズームレンズ１１２、絞り１１６等の操作対象部材が含まれる。
【００２４】
操作リング１１５に割り当てる操作対象部材は固定ではない。すなわち、操作リング１１５の操作によって、どの操作対象部材を駆動させるかという機能の割り当ては、条件に応じて、レンズコントローラ１２０またはカメラコントローラ１５３によって適宜変更される。操作リング１１５に対してフォーカスレンズ１１０が操作対象部材として割り当てられた場合は、操作リング１１５の操作によって、フォーカスレンズ１１０を駆動させるよう、レンズコントローラ１２０はフォーカスレンズ駆動部１１１に駆動制御信号を供給する。操作リング１１５に対してズームレンズ１１２が操作対象部材として割り当てられた場合は、操作リング１１５の操作によって、ズームレンズ１１２を駆動させるよう、レンズコントローラ１２０はズームレンズ駆動部１１３に駆動制御信号を供給する。同様に、絞り１１６が操作対象部材として割り当てられた場合は、操作リング１１５の操作によって、絞り１１６を駆動させるよう、レンズコントローラ１２０は、絞り駆動部１１３に駆動制御信号を供給する。
【００２５】
＜１−３．カメラボディの構成＞
カメラボディ１０２の構成について説明する。
カメラボディ１０２は、カメラコントローラ１５３と、ボディマウント１４０と、ＣＭＯＳイメージセンサ１５０と、タイミングジェネレータ（以下、「ＴＧ」と呼ぶ）１５１と、アナログフロントエンド（以下、「ＡＦＥ」と呼ぶ）１５２と、液晶モニタ１６３と、タッチパネル１６２と、レリーズ釦１６０と、カメラ側操作部１７０と、電源１５４と、ＤＲＡＭ１５５と、フラッシュメモリ１５６と、カードスロット１６５と、メモリカード１６４とを備える。
【００２６】
カメラコントローラ１５３は、レリーズ釦１６０やカメラ側操作部材１７０からの指示に基づいて、ＣＭＯＳイメージセンサ１５０等の、デジタルカメラ１００の各部を制御する。カメラコントローラ１５３は、垂直同期信号をタイミング発生器１５１（ＴＧ１５１）に通知する。これと並行して、カメラコントローラ１５３は、垂直同期信号に基づいて露光同期信号を生成し、生成した露光同期信号を、ボディマウント１４０およびレンズマウント１３０を通じて、レンズコントローラ１２０に周期的に繰り返し通知する。カメラコントローラ１５３には、ＤＲＡＭ１５５およびフラッシュメモリ１５６が接続されている。カメラコントローラ１５３は必要に応じて、ＤＲＡＭ１５５およびフラッシュメモリ１５６に対して情報を書き込んだり読み出したりすることができる。カメラコントローラ１５３は、ハードワイヤードな電子回路で構成してもよく、プログラムを用いたマイクロコンピュータなどで構成してもよい。
【００２７】
ＤＲＡＭ１５５は、カメラコントローラ１５３による各種制御の際のワークメモリとして使用される。また、フラッシュメモリ１５６は、カメラコントローラ１２０による各種制御の際に使用されるプログラムやパラメータ等を格納している。
【００２８】
ＣＭＯＳイメージセンサ１５０は、電動交換レンズ１０１を通じて入射される被写体像を撮像して画像情報を生成する。生成された画像情報は、ＡＦＥ１５２でアナログ形式のデータからデジタル形式のデータに変換される。ＡＦＥ１５２でデジタル化された画像情報は、カメラコントローラ１５３で各種の画像処理が施される。ここで言う各種の画像処理とは、例えば、ガンマ補正処理および／またはホワイトバランス補正処理、キズ補正処理、ＹＣ変換処理、電子ズーム処理、ＪＰＥＧ圧縮処理等であるが、これらに限定されるものではない。また本実施形態において、ＣＭＯＳイメージセンサ１５０に代えて、例えばＮＭＯＳイメージセンサやＣＣＤイメージセンサなど、他の撮像素子を用いてもよい。
【００２９】
ＣＭＯＳイメージセンサ１５０は、ＴＧ１５１によって決定されたタイミングで動作する。ＴＧ１５１によって制御されたＣＭＯＳイメージセンサ１５０の動作は、静止画像の撮像動作およびスルー画像の撮像動作、データ転送動作、電子シャッタ動作等がある。スルー画像は主に動画像であり、使用者が静止画像の構図を決めるために液晶モニタ１５３に表示される。
【００３０】
液晶モニタ１６３は、カメラボディ１０２の背面に配置され、カメラコントローラ１５３によって処理された表示用画像情報が示す画像を表示する。液晶モニタ１６３は、動画像も静止画も選択的に表示可能である。また、動画像の他、デジタルカメラ１００全体の設定条件等を表示可能である。本実施形態では、表示手段の一例として液晶モニタ１６３を示すが、本発明はこれに限らない。例えば、有機ＥＬディスプレイ等の表示手段を用いてもよい。
【００３１】
タッチパネル１６２は、液晶モニタ１６３の表面に設けられ、使用者が接触したタッチパネル上の電極位置に関する情報を生成する。タッチパネル１６２は、電極位置に関する情報に基づいて、使用者がタッチしたタッチパネル上の位置座標を算出してカメラコントローラ１５３に通知する。
【００３２】
ボディマウント１４０は、電動交換レンズ１０１のレンズマウント１３０と連携して、電動交換レンズ１０１とカメラボディ１０２とを機械的及び電気的に接続するための接続部材である。電動交換レンズ１０１とカメラボディ１０２とが機械的および電気的に接続されると、レンズコントローラ１２０とカメラコントローラ１５３とは互いに通信可能な状態となる。ボディマウント１４０は、カメラコントローラ１５３から受信した露光同期信号やその他制御信号を、レンズマウント１３０を通じてレンズコントローラ１２０に通知する。また、ボディマウント１４０は、レンズコントローラ１２０から受信した信号を、レンズマウント１３０を通じてカメラコントローラ１５３に通知する。
【００３３】
電源１５４は、デジタルカメラ１００が稼動するための電力を供給する。電源１５４は、例えば乾電池であってもよく、充電池であってもよい。また電源コードを通じて外部からデジタルカメラ１００に電力を供給する構成であってもよい。カメラボディ１０２の電源釦（図示せず）がオン状態を示す状態にされると、カメラコントローラ１５３はカメラボディ１０２全体に電力を供給するよう電源１５４を制御する。また、カメラコントローラ１５３は、ボディマウント１４０およびレンズマウント１３０を通じて、電動交換レンズ１０１に電力を供給する。そして、レンズコントローラ１２０は、カメラボディ１０２から供給された電力を、電動交換レンズ１０１の各部に供給する。
【００３４】
カードスロット１６５は、メモリカード１６４をカメラボディ１０２に電気的および機械的に着脱可能な接続手段である。カードスロット１６５は、メモリカード１６４を制御する機能を備えてもよい。
【００３５】
メモリカード１６４は、内部にフラッシュメモリ等の記憶素子を備えた外部メモリである。メモリカード１６４は、カメラコントローラ１５３によって処理された画像情報等のデータを記憶可能である。また、メモリカード１６４は、内部に記憶した画像情報等のデータを出力可能である。メモリカード１６４から出力された画像情報はカメラコントローラ１５３で処理され、例えば液晶モニタ１６３に表示される。このような、メモリカード１６４によって記憶された画像情報を液晶モニタ１６３等に表示することを「再生表示」と呼ぶ。
【００３６】
レリーズ釦１６０は、使用者の操作を受け付ける。レリーズ釦１６０は、半押しと全押しの二段階操作が可能である。使用者がレリーズ釦１６０を半押し操作することにより、カメラコントローラ１５３はオートフォーカス動作を実行する。続いて使用者がレリーズ釦１６０を全押し操作すると、カメラコントローラ１５３はこの全押し操作のタイミングに従って生成された画像情報をメモリカード１６４に記憶する。
【００３７】
カメラ側操作部１７０は、前述の中央釦２０４や十字釦２０５を含む操作部材の総称である。また、カメラ側操作部１７０は、デジタルカメラ１００のＭＦモードとＡＦモードを切り替えるＭＦ／ＡＦスイッチを含む。カメラ側操作部１７０が使用者による操作を受け付けると、カメラコントローラ１５３は、操作指示内容に基づいて各種制御を実行する。
【００３８】
＜１−４．カメラボディのタイプ＞
本実施形態の電動交換レンズ１０１を制御するカメラボディ１０２は、カメラボディ１０２が制御できる電動交換レンズ１０１の操作機能（マニュアルズーム、マニュアルフォーカス）によって、４つのタイプに分類できる。
【００３９】
カメラボディ１０２の対応機能による分類について、図４を参照しながら説明する。カメラボディ１０２は、電動交換レンズ１０１に対するマニュアルズーム制御およびマニュアルフォーカス制御の対応／非対応に応じて、以下の４タイプのカメラボディに分類される。なお、下記４タイプのカメラボディ１０２は、対応／非対応が異なるのみであり、図３を参照しながら説明した電気的構成については同様である。
【００４０】
第１のタイプは、図４（Ａ）に示すように、マニュアルズーム制御およびマニュアルフォーカス制御の双方に対応できるカメラボディのタイプである。このタイプのカメラボディ１０２は、カメラ側操作部１７０にマニュアルズーム機能およびマニュアルフォーカス機能を割り当てることで、カメラ側操作部１７０の操作により、装着された電動交換レンズ１０１のマニュアルズーム制御およびマニュアルフォーカス制御が可能である。このタイプのカメラボディのことを、以下、「ＭＺ及びＭＦ対応カメラボディ」と呼ぶ。
【００４１】
第２のタイプは、図４（Ｂ）に示すように、マニュアルズーム制御のみに対応できるカメラボディのタイプである。このタイプのカメラボディ１０２は、カメラ側操作部１７０にマニュアルズーム機能を割り当てることで、カメラ側操作部１７０の操作により、装着された電動交換レンズ１０１のマニュアルズーム制御が可能である。このタイプのカメラボディのことを、以下、「マニュアルズーム（ＭＺ）対応カメラボディ」と呼ぶ。
【００４２】
第３のタイプは、図４（Ｃ）に示すように、マニュアルフォーカス制御のみに対応できるカメラボディ１０２である。このタイプのカメラボディ１０２は、カメラ側操作部１７０にマニュアルフォーカス機能を割り当てることで、カメラ側操作部１７０の操作により、装着された電動交換レンズ１０１のマニュアルフォーカス制御が可能である。このタイプのカメラボディのことを、以下、「マニュアルフォーカス（ＭＦ）対応カメラボディ」と呼ぶ。
【００４３】
第４のタイプは、図４（Ｄ）に示すように、マニュアルズーム制御およびマニュアルフォーカス制御の双方に非対応のカメラボディ１０２である。このタイプのカメラボディ１０２は、電動交換レンズ１０１に対するマニュアルズーム操作機能およびマニュアルフォーカス操作機能を、カメラ側操作部１７０に割り当てることができない。したがって、このタイプのカメラボディ１０２は、カメラ側操作１７０の操作では、装着された電動交換レンズ１０１のマニュアルズーム制御およびマニュアルフォーカス制御を実行できない。このタイプのカメラボディのことを、以下、「ＭＺ及びＭＦ非対応カメラボディ」と呼ぶ。
【００４４】
＜２．動作＞
＜２−１．動作概要＞
本実施形態のデジタルカメラ１００の動作の概要について説明する。電動交換レンズ１０１が装着された状態で、カメラボディ１０２の電源がオン状態に切り替えられると、電力供給とともに、各種初期設定が実行される。そして、カメラボディ１０２に装着された電動交換レンズ１０１は、カメラボディ１０２から取得した情報に従って、操作リング１１５に対する操作機能の割り当てを決定する。具体的には、操作リング１１５に対して、フォーカスレンズまたはズームレンズのいずれを操作対象部材として割り当てるかを決定する。
【００４５】
操作リング１１５への操作機能の割り当て動作は、装着するカメラボディ１０２のタイプによって異なる。すなわち電動交換レンズ１０１が、ＭＺ及びＭＦ対応カメラボディまたはＭＺ対応カメラボディ、ＭＦ対応カメラボディ、ＭＺ及びＭＦ非対応カメラボディのいずれに装着されるかにより、電動交換レンズ１０１の操作リング１１５への操作機能の割り当て動作は異なる。また、操作リング１１５への操作機能の割り当て動作は、ＭＦモードとＡＦモードに応じて異なる。
【００４６】
以下、電動交換レンズ１０１を、ＭＺ及びＭＦ対応カメラボディまたはＭＺ対応カメラボディ、ＭＦ対応カメラボディ、ＭＺ及びＭＦ非対応カメラボディに装着した場合の、それぞれの動作について、詳細に説明する。
【００４７】
＜２−２．ＭＺ及びＭＦ対応カメラボディの場合＞
＜２−２−１．初期動作＞
電動交換レンズ１０１をＭＺ及びＭＦ対応カメラボディ１０２に装着した場合の動作について説明する。
【００４８】
まず、電動交換レンズ１０１を装着したカメラボディ１０２の初期動作について図５を参照しながら説明する。
【００４９】
ＭＺ及びＭＦ対応カメラボディ１０２に電動交換レンズ１０１を装着した状態で、使用者がＭＺ及びＭＦ対応カメラボディ１０２の電源１５４をオン状態に切り替えると（Ｓ３００）、電源１５４は、ボディマウント１４０およびレンズマウント１３０を通じて、電動交換レンズ１０１に電力を供給する（Ｓ３０１）。これにより電動交換レンズ１０１の各部に電力が供給される（Ｓ３０２）。
【００５０】
次に、カメラコントローラ１５３は、レンズコントローラ１２０に対して、電動交換レンズ１０１の認証情報を要求する（Ｓ３０３）。電動交換レンズ１０１の認証情報には、電動交換レンズ１０１が装着されているか否かに関する情報と、電動交換レンズ１０１にアクセサリが装着されているか否かに関する情報とが含まれる。レンズコントローラ１２０は、カメラコントローラ１５３からのレンズ認証要求に対して、認証情報をカメラコントローラ１５３へ送信することによって応答する（Ｓ３０４）。レンズコントローラ１２０の応答により、カメラコントローラ１５３はレンズ認証を完了させ、ＭＺ及びＭＦ対応カメラボディ１０２に電動交換レンズ１０１が装着されているか否か、テレコンバータレンズやワイドコンバータレンズ等のアクセサリが装着されているか否かを把握することが可能である（Ｓ３０５）。
【００５１】
次に、カメラコントローラ１５３は、レンズコントローラ１２０に対して、初期化動作を実行するよう要求する（Ｓ３０６）。レンズコントローラ１２０は、初期化動作の要求を受けて、フォーカスレンズ１１０のリセットと、ズームレンズ１１２のリセットと、絞り１１６のリセット等との初期化動作を実行する（Ｓ３０７）。そして、レンズコントローラ１２０はカメラコントローラ１５３に対して、レンズ初期化動作の完了を示す情報を送信することによって応答する（Ｓ３０８）。これにより、カメラコントローラ１５３は、レンズが初期化されたことを把握できる（Ｓ３０９）。
【００５２】
次に、カメラコントローラ１５３は、レンズコントローラ１２０に対して、レンズデータを要求する（Ｓ３１０）。レンズデータは、電動交換レンズ１０１のフラッシュメモリ１２２に格納されている。ここでは、カメラボディ１０２はマニュアルズーム制御およびマニュアルフォーカス制御の双方に対応しているため、カメラコントローラ１５３は、レンズコントローラ１２０にマニュアルズームとマニュアルフォーカスの双方に対応していることを示す情報を通知する。対応／非対応に関する情報が通知されることにより、レンズコントローラ１２０は、装着されたカメラボディ１０２がＭＺ及びＭＦ対応カメラボディ１０２であることを把握できる。レンズコントローラ１２０は、カメラコントローラ１５３からのレンズデータ要求に従って、フラッシュメモリ１２２からレンズデータを読み出す（Ｓ３１１）。そして、レンズコントローラ１２０は、読み出したレンズデータを、カメラコントローラ１５３に送信することによって応答する（Ｓ３１２）。
【００５３】
ここで、レンズデータとは、レンズ名称、Ｆナンバー、ズーム制御可能範囲、フォーカス制御可能範囲、操作部材に関する情報、電動ズーム／フォーカス機能の有無に関する情報など、電動交換レンズ１０１固有の特性値である。カメラコントローラ１５３は、電動ズーム／フォーカス機能の有無に関する情報を取得することにより、カメラボディ１０２に装着された交換レンズの電動ズーム／フォーカス機能の有無を把握できる。カメラコントローラ１５３は、この電動ズーム／フォーカス機能の有無に関する情報に基づいて、カメラボディ１０２がその機能に対応していれば、電動交換レンズ１０１に対する電動ズーム／フォーカスに関する各種制御を実行できる。
【００５４】
また、レンズデータに含まれる操作部材に関する情報は、操作部材の種類（リング形状、レバー形状、スイッチ形状）や、操作部材の個数を含む。カメラコントローラ１５３は、操作部材に関する情報を取得することにより、カメラボディ１０２に装着された交換レンズの操作部材を把握できる。カメラコントローラ１５３は、この操作部材に関する情報に従って、カメラボディ１０２がその操作部材の制御に対応していれば、装着された交換レンズの操作部材に適した制御を実行できる。
【００５５】
例えば、カメラコントローラ１５３は、装着された交換レンズの種類に基づいて、カメラ側操作部１７０に対して、交換レンズに対する操作機能（マニュアルズームまたはマニュアルフォーカス）を割り当てることが可能である。同様に、カメラコントローラ１５３は、装着された交換レンズの操作部材の個数に基づいて、カメラ側操作部１７０に対して、交換レンズに対する操作機能を割り当てることが可能である。
【００５６】
以上の動作により、カメラコントローラ１５３は、装着された電動交換レンズ１０１のレンズデータ取得を完了する（Ｓ３１３）。
【００５７】
また、カメラコントローラ１５３が電動交換レンズ１０１のレンズデータを取得すると、デジタルカメラ１００は撮像可能な状態になる。以降、カメラコントローラ１５３は、レンズコントローラ１２０に対して、電動交換レンズ１０１の状態を示すレンズ状態データを定期的に要求する（Ｓ３１４）。レンズ状態データは、例えば、ズームレンズ１１２によるズーム倍率情報、フォーカスレンズ１１０の位置情報、絞り１１６の絞り値情報などを含む。この要求に応答して、レンズコントローラ１２０はカメラコントローラ１５３に、要求されたレンズ状態データを送信する（Ｓ３１５）。
【００５８】
以上のようにＭＺ及びＭＦ対応カメラボディ１０２と電動交換レンズ１０１は、ＭＺ及びＭＦ対応カメラボディ１０２と電動交換レンズ１０１とが必要とするデータの要求および応答を実行し、初期動作設定動作を完了させる。
【００５９】
＜２−２−２．ＭＦモードでの第一の動作＞
ＭＦモードにおけるＭＺ及びＭＦ対応カメラボディ１０２の動作について説明する。ＭＦモードにおけるＭＺ及びＭＦ対応カメラボディ１０２の動作は、第一の動作と第二の動作の二通りの動作がある。第一の動作は、デジタルカメラ１００がＭＦモードに設定されたとき、マニュアルフォーカス操作機能が操作リング１１５に割り当てられる動作である。第二の動作は、マニュアルフォーカス操作機能がカメラ側操作部１７０に割り当てられる動作である。第一の動作と第二の動作のどちらが使用者にとってより好適であるかということは、実際のデジタルカメラ１００の形状および撮影方法によって異なる。ＭＦモードにおいて、ＭＺ及びＭＦ対応カメラボディ１０２に第一の動作と第二の動作のいずれを行わせるかは、使用者が予め選択設定することが可能である。
【００６０】
まず、ＭＦモードにおけるＭＺ及びＭＦ対応カメラボディ１０２の第一の動作について、図６を参照しながら説明する。ＭＦモードの動作として第一の動作が予め選択設定されており、ＭＦ／ＡＦスイッチ操作によってマニュアルフォーカスが選択された場合、カメラコントローラ１５３は、カメラボディ１０２の動作モードをＭＦモードに設定する（Ｓ４００）。そして、カメラコントローラ１５３は、ＭＦモード設定に関する情報をレンズコントローラ１２０に通知する（Ｓ４０１）。ＭＦモード設定に関する情報が通知されることにより、レンズコントローラ１２０は、電動交換レンズ１０１の動作モードをＭＦモードに設定できる。
【００６１】
続いて、カメラコントローラ１５３は、カメラ側操作部１７０にマニュアルズーム操作機能を割り当てる（Ｓ４０２）。これにより、使用者によってカメラ側操作部１７０が操作されると（Ｓ４０４）、その操作情報に従ってレンズ制御要求がレンズコントローラ１２０に通知される（Ｓ４０５）。レンズコントローラ１２０は、受け取った操作情報に従って、ズームレンズ１１２を駆動するようズームレンズ駆動部１１３に駆動制御信号を送信する（Ｓ４０６）。すなわち、カメラ側操作部１７０にマニュアルズーム操作機能が割り当てられると、カメラ側操作部１７０が操作されたときにズームレンズ１１２が駆動されるようになる。レンズコントローラ１２０は、ズームレンズ１１２を駆動すると、レンズ制御要求への応答を示すレンズ制御応答をカメラコントローラ１５３に通知する（Ｓ４０７）。
【００６２】
一方、レンズコントローラ１２０は、ＭＦモード設定の通知に従って、操作リング１１５にマニュアルフォーカス操作機能を割り当てる（Ｓ４０３）。この場合、レンズコントローラ１２０へＭＦモード設定が通知されるとき、レンズコントローラ１２０はカメラコントローラ１５３から、操作リング１１５にマニュアルフォーカス操作機能を割り当てることを示す情報を、ＭＦモード設定の通知と合わせて受信してもよい。そして、レンズコントローラ１２０この情報に従って、操作リング１１５に対してマニュアルフォーカス操作機能を割り当ててもよい。あるいは、レンズコントローラ１２０は、カメラコントローラ１５３からのＭＦモード設定の通知に基づいて、操作リング１１５にマニュアルフォーカス操作機能を割り当てるべきだと自身で判断するようにしてもよい。
【００６３】
操作リング１１５にマニュアルフォーカス操作機能が割り当てられることにより、使用者によって操作リング１１５が操作されると（Ｓ４０８）、その操作情報がレンズコントローラ１２０に通知される。レンズコントローラ１２０は、受け取った操作情報に従って、フォーカスレンズ１１０を駆動するようフォーカスレンズ駆動部１１１に駆動制御信号を送信する（Ｓ４０９）。すなわち、操作リング１１５にマニュアルフォーカス操作機能が割り当てられると、操作リング１１５が操作されたときにフォーカスレンズ１１０が駆動されるようになる。
【００６４】
各操作部１１５、１７０への操作機能割り当てが完了した後、カメラコントローラ１５３は、レンズコントローラ１２０に対して、電動交換レンズ１０１の状態を示すレンズ状態データを定期的に要求する（Ｓ４１０）。レンズコントローラ１２０は、この要求に応答して、要求されたレンズ状態データをカメラコントローラ１５３に送信する（Ｓ４１１）。
【００６５】
以上のように、ＭＦモードにおけるＭＺ及びＭＦ対応カメラボディ１０２の第一の動作では、デジタルカメラ１００は、電動交換レンズ１０１側の操作リング１１５にマニュアルフォーカス操作機能を割り当て、カメラ側操作部１７０にマニュアルズーム操作機能を割り当てる。したがって、第一の動作モードによれば、使用者は片手で構図を決めることができる。
【００６６】
また、デジタルカメラ１００は液晶モニタ１６３にマニュアルズーム操作用のＧＵＩを表示し、使用者によるズーム位置のダイレクト指定を、タッチパネル１６２のタッチ操作により受け付けるような構成であってもよい。
【００６７】
＜２−２−３．ＭＦモードでの第二の動作＞
次に、ＭＺ及びＭＦ対応カメラボディ１０２のＭＦモードでの第二の動作について、図７を参照しながら説明する。第二の動作は、第一の動作におけるマニュアルフォーカスとマニュアルズームの割り当てを逆にした動作である。
【００６８】
ＭＦモードでの動作として第二の動作が予め選択設定されており、ＭＦ／ＡＦスイッチ操作によってマニュアルフォーカスが選択された場合、カメラコントローラ１５３は、カメラボディ１０２の動作モードをＭＦモードに設定する（Ｓ５００）。そして、カメラコントローラ１５３は、ＭＦモード設定に関する情報をレンズコントローラ１２０に通知する（Ｓ５０１）。ＭＦモード設定に関する情報が通知されることにより、レンズコントローラ１２０は、電動交換レンズ１０１の動作モードをＭＦモードに設定する。
【００６９】
続いて、カメラコントローラ１５３は、カメラ側操作部１７０にマニュアルフォーカス操作機能を割り当てる（Ｓ５０２）。これにより、その後使用者によってカメラ側操作部１７０が操作されると（Ｓ５０４）、その操作情報に従ってレンズ制御要求がレンズコントローラ１２０に通知される（Ｓ５０５）。レンズコントローラ１２０は、受け取った操作情報に従って、フォーカスレンズ１１０を駆動するためにフォーカスレンズ駆動部１１１に駆動制御信号を送信する（Ｓ５０６）。すなわち、カメラ側操作部１７０にマニュアルフォーカス操作機能を割り当てられると、カメラ側操作部１７０が操作されたときにフォーカスレンズ１１０が駆動されるようになる。レンズコントローラ１２０は、フォーカスレンズ１１０を駆動すると、レンズ制御要求への応答を示すレンズ制御応答をカメラコントローラ１５３に通知する（Ｓ５０７）。
【００７０】
一方、レンズコントローラ１２０は、ＭＦモード設定の通知に従って、操作リング１１５にマニュアルズーム操作機能を割り当てる（Ｓ５０３）。この場合、レンズコントローラ１２０へＭＦモード設定が通知されるとき、レンズコントローラ１２０はカメラコントローラ１５３から、操作リング１１５にマニュアルズーム操作機能を割り当てることを示す情報を、ＭＦモード設定の通知と合わせて受信して、この情報に従って、操作リング１１５にマニュアルズーム操作機能を割り当ててもよい。あるいは、レンズコントローラ１２０は、カメラコントローラ１５３からのＭＦモード設定の通知に基づいて、操作リング１１５にマニュアルズーム操作機能を割り当てるべきだと自身で判断するようにしてもよい。
【００７１】
操作リング１１５にマニュアルズーム操作機能が割り当てられることにより、使用者によって操作リング１１５が操作されると（Ｓ５０８）、その操作情報がレンズコントローラ１２０に通知される。レンズコントローラ１２０は、受け取った操作情報に従って、ズームレンズ１１２を駆動するようズームレンズ駆動部１１３に駆動制御信号を送信する（Ｓ５０９）。すなわち、操作リング１１５にマニュアルズーム操作機能が割り当てられると、操作リング１１５が操作されたときにズームレンズ１１２が駆動されるようになる。
【００７２】
カメラコントローラ１５３は、第二の動作完了後においても、第一の動作完了後と同様に、レンズコントローラ１２０に対して、電動交換レンズ１０１の状態を示すレンズ状態データを定期的に要求する（Ｓ５１０）。レンズコントローラ１２０は、この要求に応答して、要求されたレンズ状態データをカメラコントローラ１５３に送信する（Ｓ５１１）。
【００７３】
以上のように、ＭＦモードにおけるＭＺ及びＭＦ対応カメラボディ１０２の第二の動作では、カメラ側操作部１７０にマニュアルフォーカス操作機能を割り当て、電動交換レンズ１０１側の操作リング１１５にマニュアルズーム操作機能を割り当てる。つまり、使用者はカメラ側操作部１７０でフォーカスをマニュアルで設定することができる。交換レンズ側の操作部材でフォーカス調整する場合は、回転リング操作に起因する手ぶれが発生しやすい。一方、第二の動作モードによれば、カメラ側でフォーカス調整を行うので、特にマクロ撮影が行われる場合などには、交換レンズ側の操作部材でフォーカス設定するのに比べてブレを低減できる。
【００７４】
また、第一の動作時と同様に、デジタルカメラ１００は液晶モニタ１６３にマニュアルフォーカス操作用のＧＵＩを表示し、使用者によるフォーカス位置のダイレクト指定を、タッチパネル１６２のタッチ操作により受け付けるような構成であってもよい。
【００７５】
＜２−２−４．ＡＦモードでの動作＞
ＭＺ及びＭＦ対応カメラボディ１０２のＡＦモードにおける動作について図８を参照しながら説明する。
【００７６】
ＭＦ／ＡＦスイッチ操作によってオートフォーカスが選択された場合、カメラコントローラ１５３は、カメラボディ１０２の動作モードをＡＦモードに設定する（Ｓ６００）。そして、カメラコントローラ１５３は、ＡＦモード設定に関する情報をレンズコントローラ１２０に通知する（Ｓ６０１）。ＡＦモード設定に関する情報により、レンズコントローラ１２０は、電動交換レンズ１０１の動作モードをＡＦモードに設定できる。
【００７７】
レンズコントローラ１２０は、ＡＦモード設定の通知を受けると、操作リング１１５にマニュアルズーム操作機能を割り当てる（Ｓ６０２）。この場合、ＡＦモード設定に関する情報がレンズコントローラ１２０に通知されるとき、レンズコントローラ１２０はカメラコントローラ１５３から、操作リング１１５にマニュアルズーム操作機能を割り当てることを示す情報を、ＡＦモード設定の通知と合わせて受信して、操作リング１１５にマニュアルズーム操作機能を割り当ててもよい。あるいは、レンズコントローラ１２０は、カメラコントローラ１５３からのＡＦモード設定の通知に基づいて、操作リング１１５にマニュアルズーム操作機能を割り当てるべきだと自身で判断するようにしてもよい。
【００７８】
操作リング１１５にマニュアルズーム操作機能を割り当てるのは、ＡＦモードでは、電動交換レンズ１０１の操作リング１１５によるマニュアルフォーカス操作機能が不要であるからである。使用者によって操作リング１１５が操作されると（Ｓ６０３）、その操作情報がレンズコントローラ１２０に通知される。レンズコントローラ１２０は、受け取った操作情報に従って、ズームレンズ１１２を駆動するようズームレンズ駆動部１１３に駆動制御信号を送信する（Ｓ６０４）。すなわち、操作リング１１５にマニュアルズーム操作機能を割り当てられると、操作リング１１５が操作されたときにズームレンズ１１２が駆動されるようになる。
【００７９】
また、ＡＦモードにおいて、カメラコントローラ１５３がカメラ側操作部１７０に割り当てる操作機能は、マニュアルフォーカス操作機能であっても、マニュアルズーム操作機能であってもよい。しかしＡＦモードにおいてはフォーカスが自動で設定されるため、カメラ側操作部１７０にマニュアルズーム操作機能を割り当てることが好ましい。これにより、ユーザは、片手撮りを容易に行うことができる。またこのとき、カメラ側操作部１７０と操作リング１１５とが共にマニュアルズーム操作機能を割り当てられるが、カメラ側操作部１７０による操作と操作リング１１５による操作の間に優先順位を設定しておき、操作制御の競合を回避するように構成してもよい。
【００８０】
カメラコントローラ１５３は、レリーズ釦１６０の半押し操作を受け付けると、オートフォーカス制御を実行する（Ｓ６０５）。カメラコントローラ１５３が採用するオートフォーカス方式は、コントラストオートフォーカス方式であっても、位相差オートフォーカス方式であってもよい。カメラコントローラ１５３は、採用したオートフォーカス方式に即して、被写体に合焦させるために、レンズコントローラ１２０へレンズ制御要求を通知する（Ｓ６０６）。レンズコントローラ１２０は、受け取ったレンズ制御要求に従って、フォーカスレンズ１１０を駆動するようフォーカスレンズ駆動部１１１に駆動制御信号を送信する。すなわち、レリーズ釦１６０が半押し押下されると、フォーカスレンズ１１０が駆動される（Ｓ６０７）。レンズコントローラ１２０は、フォーカスレンズ１１０を駆動すると、レンズ制御要求への応答を示すレンズ制御応答をカメラコントローラ１５３に通知する（Ｓ６０８）。
【００８１】
その後、カメラコントローラ１５３は、レンズコントローラ１２０に対して、電動交換レンズ１０１の状態を示すレンズ状態データを定期的に要求する（Ｓ６１２）。この要求に応答して、レンズコントローラ１２０はカメラコントローラ１５３に対して、要求されたレンズ状態データを送信する（Ｓ６１３）。
【００８２】
以上のように、本実施形態のカメラボディ１０２は、ＡＦモードにおいてはマニュアルズーム操作機能を、使用者にとってカメラ側操作部１７０よりも操作しやすい、電動交換レンズ１０１側の操作リング１１５に割り当てる。これにより、デジタルカメラ１００の利便性が向上する。
【００８３】
＜２−２−５．ＡＦ＋ＭＦモードでの動作＞
本実施形態のデジタルカメラ１００は、ＭＦモードとＡＦモードの他にＡＦ＋ＭＦモードを有する。「ＡＦ＋ＭＦモード」は、カメラコントローラ１５３によるオートフォーカス制御動作が完了した後に、被写体の合焦状態を使用者がマニュアル操作により微調整できるモードである。
【００８４】
ＡＦ＋ＭＦモード時におけるＭＺ及びＭＦ対応カメラボディ１０２の動作について図９を参照しながら説明する。
ＭＺ及びＭＦ対応カメラボディ１０２がＡＦモードで動作させるかＡＦ＋ＭＦモードで動作させるかの選択は、使用者が予め設定できる。
【００８５】
ＭＦ／ＡＦスイッチ操作によってオートフォーカスが選択されるとＭＺ及びＭＦ対応カメラボディ１０２はまず、ＡＦモード動作（図９におけるＳ６００〜Ｓ６０８）を実行する。この一連の動作は、図８で示したようなＡＦモード動作（図８におけるＳ６００〜Ｓ６０８）と同様であるので、ここでの説明を省略する。
【００８６】
ＡＦ＋ＭＦモードが設定されていた場合、このオートフォーカス制御動作完了後に、カメラコントローラ１５３はＭＺ及びＭＦ対応カメラボディ１０２をＡＦ＋ＭＦモードに設定する。
【００８７】
このとき、図示していないが、カメラコントローラ１５３は、カメラコントローラ１５３は、ＡＦ＋ＭＦモード設定に関する情報をレンズコントローラ１２０に通知する。この情報により、レンズコントローラ１２０は、電動交換レンズ１０１の動作モードをＡＦ＋ＭＦモードに設定できる。この場合、ＡＦ＋ＭＦモード設定に関する情報がレンズコントローラ１２０に通知されるとき、レンズコントローラ１２０はカメラコントローラ１５３から、操作リング１１５にマニュアルフォーカス操作機能を割り当てることを示す情報を、ＡＦ＋ＭＦモード設定の通知と合わせて受信して、操作リング１１５にマニュアルフォーカス操作機能を割り当ててもよい。あるいは、レンズコントローラ１２０は、カメラコントローラ１５３からのＡＦ＋ＭＦモード設定の通知に基づいて、操作リング１１５にマニュアルフォーカス操作機能を割り当てるべきだと自身で判断するようにしてもよい。
【００８８】
レンズコントローラ１２０は、ＡＦ＋ＭＦモード設定の通知を受けると、操作リング１１５にマニュアルフォーカス操作機能を割り当てる（Ｓ６０９）。その後、使用者によって操作リング１１５が操作されると（Ｓ６１０）、その操作情報がレンズコントローラ１２０に通知される。レンズコントローラ１２０は、受け取った操作情報に従って、フォーカスレンズ１１０を駆動するようフォーカスレンズ駆動部１１１に駆動制御信号を送信する（Ｓ６１１）。すなわち、操作リング１１５にマニュアルフォーカス操作機能が割り当てられると、操作リング１１５が操作されたときにフォーカスレンズ１１０が駆動されるようになる。
【００８９】
以上のように、ＡＦ＋ＭＦモードにおけるＭＺ及びＭＦ対応カメラボディ１０２の動作では、電動交換レンズ１０１側の操作リング１１５に、まずマニュアルズーム操作機能が割り当てられる。そしてオートフォーカス動作完了後には、電動交換レンズ１０１側の操作リング１１５にマニュアルフォーカス操作機能が割り当てられる。これにより、使用者は操作リング１１５のみを操作することによって、マニュアルズーム設定およびマニュアルフォーカス設定を一貫して行うことが可能である。
【００９０】
＜２−３．ＭＺ対応カメラボディの場合＞
電動交換レンズ１０１がＭＺ対応カメラボディ１０２に装着された場合の動作について説明する。このとき、電動交換レンズ１０１を装着したカメラボディの初期動作については、図５を参照しながら説明したＭＺ及びＭＦ対応カメラボディ１０２の場合と同様であるため説明を省略する。
【００９１】
ＭＺ対応カメラボディ１０２のＭＦモードにおける動作は、図６を参照しながら説明したＭＺ及びＭＦ対応カメラボディ１０２の第一の動作と同様である。また、ＭＺ対応カメラボディ１０２のＡＦモードでの動作およびＡＦ＋ＭＦモードでの動作は、図８を参照しながら説明したＭＺ及びＭＦ対応カメラボディ１０２のＡＦモードおよびＡＦ＋ＭＦモードでの動作と同様である。ただし、ＭＺ対応カメラボディ１０２であるため、カメラ側操作部１７０に割り当てられる操作機能はマニュアルズーム操作機能である。
【００９２】
以上のように、電動交換レンズ１０１がＭＺ対応カメラボディ１０２に装着された場合には、電動交換レンズ１０１がＭＺ及びＭＦ対応カメラボディ１０２に装着されたときに第一の動作が実行される場合と同様に、使用者は片手撮りでズーム撮影を行うことが可能である。
【００９３】
＜２−４．ＭＦ対応カメラボディの場合＞
電動交換レンズ１０１がＭＦ対応カメラボディ１０２に装着された場合の動作について説明する。電動交換レンズ１０１を装着したカメラボディの初期動作については、図５を参照しながら説明したＭＺ及びＭＦ対応カメラボディ１０２の場合と同様であるため説明を省略する。  
【００９４】
ＭＦ対応カメラボディ１０２のＭＦモードでの動作は、図７を参照しながら説明したＭＺ及びＭＦ対応カメラボディ１０２の第二の動作と同様である。また、ＭＦ対応カメラボディ１０２のＡＦモードでの動作およびＡＦ＋ＭＦモードでの動作は、図８を参照しながら説明したＭＺ及びＭＦ対応カメラボディ１０２のＡＦモードおよびＡＦ＋ＭＦモードでの動作と同様である。ただし、ＭＦ対応カメラボディ１０２であるため、カメラ側操作部１７０に割り付けられる操作機能はマニュアルフォーカス操作機能である。しかし、ＡＦモードでは、マニュアルフォーカス操作が不要であるため、カメラ側操作部１７０に割り付けられたマニュアルフォーカス操作機能が無効にされる構成でもよい。
【００９５】
以上のように、電動交換レンズ１０１がＭＦ対応カメラボディ１０２に装着された場合には、電動交換レンズ１０１がＭＺ及びＭＦ対応カメラボディ１０２に装着されたときに第二の動作が実行される場合と同様に、カメラ側操作部１７０にマニュアルフォーカス操作機能が割り付けられる。これにより、マクロ撮影が行われる際に、交換レンズ側の操作部材でフォーカス設定するのに比べて、ブレを低減できる。
【００９６】
＜２−５．ＭＺ及びＭＦ非対応カメラボディの場合＞
＜２−５−１．初期動作＞
電動交換レンズ１０１がＭＺ及びＭＦ非対応カメラボディ１０２に装着された場合の動作について説明する。電動交換レンズ１０１が装着されたカメラボディ１０２の初期動作については、図５を参照しながら説明したＭＺ及びＭＦ対応カメラボディ１０２の場合と同様であるためここでの説明は省略する。  
【００９７】
＜２−５−２．ＭＦモードでの動作＞
ＭＺ及びＭＦ非対応カメラボディ１０２のＭＦモードの動作について図９を参照しながら説明する。ＭＦ／ＡＦスイッチ操作によってＭＦモードが選択されると、カメラコントローラ１５３は、カメラボディ１０２の動作モードをＭＦモードに設定する（Ｓ７００）。そして、カメラコントローラ１５３は、ＭＦモード設定に関する情報をレンズコントローラ１２０に通知する（Ｓ７０１）。この情報により、レンズコントローラ１２０は、電動交換レンズ１０１の動作モードをＭＦモードに設定できる。
【００９８】
レンズコントローラ１２０は、ＭＦモード設定の通知に基づいて、操作リング１１５にマニュアルフォーカス操作機能を割り当てる（Ｓ７０２）。このとき、レンズコントローラ１２０は、カメラコントローラ１５３からのＭＦモード設定の通知に基づいて、操作リング１１５にマニュアルフォーカス操作機能を割り当てるべきだと自身で判断する。操作リング１１５にマニュアルフォーカス操作機能を割り当てられることにより、使用者によって操作リング１１５が操作されると（Ｓ７０３）、その操作情報がレンズコントローラ１２０に通知される。レンズコントローラ１２０は、受け取った操作情報に従って、フォーカスレンズ１１０を駆動するようフォーカスレンズ駆動部１１１に駆動制御信号を送信する（Ｓ７０４）。すなわち、操作リング１１５にマニュアルフォーカス操作機能を割り当てられると、操作リング１１５が操作されたときフォーカスレンズ１１０が駆動されるようになる。一方、ＭＺ及びＭＦ非対応カメラボディ１２であるため、カメラコントローラ１５３は、カメラ側操作部１７０に操作機能を割り当てない。すなわち、カメラ側操作部１７０の操作ではマニュアルズーム制御を行えない。
【００９９】
ＭＺ及びＭＦ非対応カメラボディ１０２のＭＦモード動作時においても、カメラコントローラ１５３はレンズコントローラ１２０に対して、電動交換レンズ１０１の状態を示すレンズ状態データを定期的に要求する（Ｓ７０５）。この要求に応答して、レンズコントローラ１２０はカメラコントローラ１５３に、要求されたレンズ状態データを送信する（Ｓ７０６）。
【０１００】
＜２−５−３．ＡＦモードでの動作＞
次に、ＭＺ及びＭＦ非対応カメラボディ１０２のＡＦモードでの動作について説明する。ＭＺ及びＭＦ非対応カメラボディ１０２のＡＦモードでの動作およびＡＦ＋ＭＦモードでの動作は、図８を参照しながら説明したＭＺ及びＭＦ対応カメラボディ１０２のＡＦモードおよびＡＦ＋ＭＦモードでの動作と同様である。ただし、ＭＺ及びＭＦ非対応カメラボディ１０２であるため、カメラコントローラ１５３は、カメラ側操作部１７０に操作機能を割り当てない。すなわち、カメラ側操作部１７０の操作では、マニュアルズーム制御動作およびマニュアルフォーカス制御動作を行えない。
【０１０１】
以上のように本実施形態によれば、電動交換レンズ１０１がＭＺ及びＭＦ非対応カメラボディ１０２に装着された場合には、フォーカスモードに従って、電動交換レンズ１０１の操作リング１１５に好適な操作機能を割り当てることが可能である。これにより使用者にとって利便性の高い電動交換レンズ１０１を提供できる。
【０１０２】
＜３．本実施形態のまとめ＞
本実施形態の電動交換レンズ１０１は、カメラボディ１０２に装着可能な電動交換レンズ１０１であって、フォーカスレンズ１１０と、ズームレンズ１１２と、フォーカスレンズ１１０またはズームレンズ１１２に対する使用者の操作を受け付ける操作リング１１５と、操作リング１１５に対して割り当てる操作対象部材（フォーカスレンズ１１０またはズームレンズ１１２）を選択するための選択情報をカメラボディから取得するレンズコントローラ１２０とを備える。レンズコントローラ１２０は、選択情報に基づき、操作リング１１５を、フォーカスレンズ１１０およびズームレンズ１１２のいずれか一方に対する操作部材として機能させる。
【０１０３】
このような構成により、２つの操作対象部材（フォーカスレンズ１１０、ズームレンズ１１２）のうち少なくともいずれかの操作を行うために使用される１つの操作リング１１５を備える電動交換レンズ１０１がカメラボディ１０２に装着された場合に、レンズコントローラ１２０は、カメラコントローラ１５３によって送信された選択情報に基づいて、フォーカスレンズ１１０およびズームレンズ１１２のいずれか一方に対する操作機能を、操作リング１１５に割り当てる。このような機能により、１つの操作リング１１５に割り当てる操作機能を適宜変更することにより、１つの操作リング１１５によって２つの操作対象部材（フォーカスレンズ１１０、ズームレンズ１１２）を操作できる。これにより、電動交換レンズ１０１の操作部材は１つの操作リング１１５で構成できるので、電動交換レンズ１０１の構造を簡易化できる。また、電動交換レンズ１０１に操作リング１１５が１つだけ含まれるという構成により、より低コスト、小型化を図ることができる。また、操作リング１１５に割り当てる操作機能を、使用者にとって好適な操作機能とすることにより、電動交換レンズ１０１の利便性が向上する。
【０１０４】
＜４．他の実施形態＞
以下、他の実施形態についてまとめて説明する。
【０１０５】
前述の実施形態においては、ＭＺ及びＭＦ対応カメラボディ１０２のＭＦモードにおける動作モードである第一の動作モードおよび第二の動作モードを、使用者が切り替え操作可能とした。しかし本発明はこれに限定されない。例えば、ＭＺ及びＭＦ対応カメラボディ１０２に装着された電動交換レンズ１０１の操作部材がリングであるかレバーであるかによって、第一動作モードまたは第二動作モードが自動設定されるような構成であってもよい。すなわち、ＭＺ及びＭＦ対応カメラボディ１０２に装着された電動交換レンズ１０１の操作部材がリング（例えば、操作リング１１５）である場合、リング操作であることで使い勝手が良いマニュアルフォーカス操作機能を割り当てるために、第一の動作モードが自動で設定されてもよい。一方、電動交換レンズ１０１の操作部材がレバーである場合、レバー操作であることで使い勝手の良いマニュアルズーム操作機能を割り当てるために、第二の動作モードが自動で設定されるような構成であってもよい。
【０１０６】
また、前述の実施形態においては、撮影モード時における制御について説明した。一方、再生モード時においては、電動交換レンズ１０１の操作部材の操作によるズームレンズ操作またはフォーカスレンズ操作を無効にするよう制御してもよい。これにより、再生モード時において、使用者が不注意に電動交換レンズ１０１の操作部材に触れてしまった場合に、不要な動作の発生を回避することが可能である。
【０１０７】
また、前述の実施形態では、カメラ側操作部１７０がＭＦ／ＡＦスイッチを有する場合を説明したが、本発明はこれに限定されない。すなわち、電動交換レンズ１０１が、ＭＦ／ＡＦスイッチを有していてもよい。このとき、電動交換レンズ１０１のＭＦ／ＡＦスイッチ操作によってマニュアルフォーカスが選択されると、レンズコントローラ１２０は、電動交換レンズ１０１の動作モードをＭＦモードに設定する。続いて、レンズコントローラ１２０は、ＭＦモードの設定を受けて、操作リング１１５に対する操作機能の割り当てを決定する。また、レンズコントローラ１２０は、ＭＦモード設定に関する情報をカメラコントローラ１５３に通知する。ＭＦモード設定に関する情報により、カメラコントローラ１５３は、カメラボディ１０２の動作モードをＭＦモードに設定できる。同様に、電動交換レンズ１０１のＭＦ／ＡＦスイッチ操作によってオートフォーカスが選択されると、レンズコントローラ１２０は、電動交換レンズ１０１の動作モードをＡＦモードに設定する。続いて、レンズコントローラ１２０は、ＡＦモードの設定に基づいて、操作リング１１５にマニュアルズーム機能を割り当てる。また、レンズコントローラ１２０は、ＡＦモード設定に関する情報をカメラコントローラ１５３に通知する。ＡＦモード設定に関する情報により、カメラコントローラ１５３は、カメラボディ１０２の動作モードをＡＦモードに設定できる。
【０１０８】
また、前述の実施形態では、電動交換レンズ１０１の操作リング１１５に対して、マニュアルズーム操作機能またはマニュアルフォーカス操作機能を割り当てる場合を説明したが、本発明はこれに限定されない。例えば、カメラ側操作部１７０が絞り操作釦をさらに備えてもよい。使用者がカメラボディ１０２の絞り操作釦を押下すると、レンズコントローラ１２０が操作リング１１５に対して絞り１１６の操作機能を割り当てるような構成であってもよい。操作リング１１５に絞り１１６の操作機能が割り当てられた場合、操作リング１１５の操作によって絞りの調節が可能である。
【産業上の利用可能性】
【０１０９】
本発明は、デジタルカメラへの適用に限定されない。交換レンズ式のムービーカメラ、交換レンズ式のカメラ付き携帯電話などの、交換レンズおよびカメラボディに適用可能である。
【符号の説明】
【０１１０】
１００…デジタルカメラ
１０１…電動交換レンズ
１０２…カメラボディ
１１０…フォーカスレンズ
１１１…フォーカスレンズ駆動部
１１２…ズームレンズ
１１３…ズームレンズ駆動部
１１５…操作リング
１１６…絞り
１１７…絞り駆動部
１２０…レンズコントローラ
１２１…ＤＲＡＭ（電動交換レンズ側）
１２２…フラッシュメモリ（電動交換レンズ側）
１３０…レンズマウント
１４０…ボディマウント
１５０…ＣＭＯＳイメージセンサ
１５１…タイミングジェネレータ（ＴＧ：Ｔｉｍｉｎｇ  Ｇｅｎｅｒａｔｏｒ）
１５２…アナログフロントエンド（ＡＦＥ：Ａｎａｌｏｇ  Ｆｒｏｎｔ  Ｅｎｄ）
１５３…カメラコントローラ
１５４…電源
１５５…ＤＲＡＭ（カメラボディ側）
１５６…フラッシュメモリ（カメラボディ側）
１６０…レリーズ釦
１６２…タッチパネル
１６３…液晶モニタ
１６４…メモリカード
１６５…カードスロット
１７０…カメラ側操作部
２０４…中央釦
２０５…十字釦
【図１】
2012212135.tif 000003
【図２】
2012212135.tif 000004
【図３】
2012212135.tif 000005
【図４】
2012212135.tif 000006
【図５】
2012212135.tif 000007
【図６】
2012212135.tif 000008
【図７】
2012212135.tif 000009
【図８】
2012212135.tif 000010
【図９】
2012212135.tif 000011
【図１０】
2012212135.tif 000012